(57)【特許請求の範囲】
【請求項１】
外側に配置される複数の外部電極を含む本体と、
前記本体の内側に配置され、積層された複数のコイル電極層を含む第１フィルター部と、
前記本体の内側に配置され、積層された複数のコイル電極層を含む第２フィルター部と、を含み、
前記第１フィルター部と前記第２フィルター部は直列接続され、
前記第１フィルター部のコイル電極層の面積は、前記第２フィルター部のコイル電極層の面積より大きく、
前記第２フィルター部に含まれる積層された前記複数のコイル電極層のうち少なくとも一部の間に配置されるシャント電極層をさらに含む、コモンモードフィルター。
【請求項２】
前記シャント電極層は平板形状又はコイル状である、請求項１に記載のコモンモードフィルター。
【請求項３】
０．７ＧＨｚ帯域から７．０ＧＨｚ帯域までの減衰量が−２５ｄＢ以下である、請求項２に記載のコモンモードフィルター。
【請求項４】
前記本体の外側に配置されるグランド電極をさらに含み、
前記シャント電極層は、前記グランド電極と電気的に接続される、請求項２または請求項３に記載のコモンモードフィルター。
【請求項５】
前記第１フィルター部に含まれる積層された前記複数のコイル電極層のうち少なくとも一部の間に配置されるシャント電極層をさらに含む、請求項２から請求項４の何れか一項に記載のコモンモードフィルター。
【請求項６】
前記第１フィルター部に配置される前記シャント電極層は平板形状又はコイル状である、請求項５に記載のコモンモードフィルター。
【請求項７】
本体と、前記本体の外部に形成された第１から第４の外部電極と、を含み、
前記本体は、
積層された複数のコイル電極層によってそれぞれ構成された第１コイル及び第２コイルを含む第１フィルター部と、 
積層された複数のコイル電極層によってそれぞれ構成された第３コイル及び第４コイルを含む第２フィルター部と、を含み、
前記第１フィルター部の共振周波数が、前記第２フィルター部の共振周波数より低く、 
前記第２フィルター部の前記第３コイル又は前記第４コイルの間に配置されるシャント電極層をさらに含む、コモンモードフィルター。
【請求項８】
前記第１の外部電極は、前記第１コイル及び前記第４コイルを介して前記第２の外部電極と接続され、
前記第２の外部電極は、前記第３コイル及び前記第３コイルを介して前記第４の外部電極と接続される、請求項７に記載のコモンモードフィルター。
【請求項９】
本体と、
前記本体の内側に配置され、積層された複数の第１コイル電極層を含む第１フィルター部と、
前記本体の内側に配置され、前記複数の第１コイル電極層より小さい面積を占める積層された複数の第２コイル電極層を含む第２フィルター部と、
前記複数の第２コイル電極層のうち少なくとも一部の間に配置されるシャント電極層によって形成されるシャントキャパシターと、を含む、コモンモードフィルター。
【請求項１０】
前記複数の第１コイル電極層及び前記複数の第２コイル電極層が厚さ方向に積層され、
前記複数の第１コイル電極層及び前記複数の第２コイル電極層は、前記厚さ方向に垂直な長さ方向に配置される、請求項９に記載のコモンモードフィルター。
【請求項１１】
前記本体の幅方向における面に配置され、前記第１フィルター部及び前記第２フィルター部と電気的に接続される複数の外部電極と、
前記本体の長さ方向における面に配置され、前記シャントキャパシターと電気的に接続される少なくとも一つ以上のグランド電極と、をさらに含む、請求項９または請求項１０に記載のコモンモードフィルター。
【請求項１２】
前記シャントキャパシターは、少なくとも一つ以上のグランド電極と前記複数の第２コイル電極層のうち二つのノードの間に接続される、請求項９から請求項１１の何れか一項に記載のコモンモードフィルター。
【請求項１３】
前記シャント電極層は、前記複数の第２コイル電極層の積層方向に前記複数の第２コイル電極層の最外側及び最内側パターンと重なるＣ字形状のパターンを含む、請求項９から請求項１２の何れか一項に記載のコモンモードフィルター。
【請求項１４】
前記コモンモードフィルターは、前記複数の第１コイル電極層のうち少なくとも一部の間に配置される他のシャント電極層によって形成される他のシャントキャパシターをさらに含み、
前記他のシャント電極層は、前記複数の第１コイル電極層の積層方向に前記複数の第１コイル電極層の最外側及び最内側パターンと重なるＣ字形状のパターンを含む、請求項１３に記載のコモンモードフィルター。
【請求項１５】
前記シャント電極層のＣ字形状のパターンは前記本体の幅方向の一面側に曲がり、
前記他のシャント電極層のＣ字形状のパターンは前記本体の幅方向の他面側に曲がる、請求項１４に記載のコモンモードフィルター。
【請求項１６】
前記シャント電極層は、前記複数の第２コイル電極層の積層方向に前記複数の第２コイル電極層の最外側及び最内側パターンと重なるコイル状のパターンを含む、請求項９から請求項１５の何れか一項に記載のコモンモードフィルター。
【発明の詳細な説明】
【技術分野】
【０００１】
本発明は、コモンモードフィルターに関するものである。
【背景技術】
【０００２】
技術の発展に伴い、携帯電話、家電製品、ＰＣ、ＰＤＡ、ＬＣＤなどの電子機器が、アナログ方式からデジタル方式に変化し、処理するデータ量の増加によって高速化する傾向にある。これに伴い、高速信号送信インターフェースとして、ＵＳＢ２．０、ＵＳＢ３．０及び高精細度マルチメディアインターフェース（ｈｉｇｈ−ｄｅｆｉｎｉｔｉｏｎ  ｍｕｌｔｉｍｅｄｉａ  ｉｎｔｅｒｆａｃｅ；ＨＤＭＩ（登録商標））が広範に普及しており、これらのインターフェースは、現在、パーソナルコンピューター及びデジタル高精細度テレビのような様々なデジタルデバイスにおいて使用されている。
【０００３】
これらの高速インターフェースは、長い間、一般的に用いられてきたシングルエンド（ｓｉｎｇｌｅ−ｅｎｄ）送信システムとは異なり、一対の信号ラインを使用して差動信号（差動モード信号）を送信する差動信号システムを採用している。しかし、デジタル化及び高速化する電子機器は、外部からの刺激に敏感であるため、時々、高周波ノイズによる信号歪みが生じている。
【０００４】
かかる異常電圧とノイズの原因としては、回路内で発生するスイッチング電圧、電源電圧に含まれている電源ノイズ、不要な電磁信号又は電磁ノイズなどがあり、かかる異常電圧と高周波ノイズが回路に流入することを防止するための手段として、コモンモードフィルター（Ｃｏｍｍｏｎ  Ｍｏｄｅ  Ｆｉｌｔｅｒ：ＣＭＦ）を使用している。
【０００５】
今後、モバイル機器において、通信感度に影響を及ぼすコモンモードノイズを除去するために、コモンモードフィルターには、現在よりも広い通信周波数帯域をカバーする超広帯域にわたって減衰特性を示すフィルタリング機能が求められる。
【０００６】
かかる超広帯域の減衰特性を確保するために、従来はシャント（Ｓｈｕｎｔ）電極の構造を有するコモンモードフィルターを用いてきたが、既存のシャント構造を利用して構成されたコモンモードフィルターが減衰特性を示し得る周波数領域を一層広げるには限界がある。
【先行技術文献】
【特許文献】
【０００７】
【特許文献１】日本登録特許５０２９７２６号公報
【発明の概要】
【発明が解決しようとする課題】
【０００８】
本発明は、超広帯域にわたる減衰特性を有するコモンモードフィルターを提供することを目的とする。
【０００９】
また、本発明は、超広帯域の減衰特性を有し、且つ低周波数領域の減衰特性に優れるコモンモードフィルターを提供することを目的とする。
【課題を解決するための手段】
【００１０】
本発明の一実施形態によるコモンモードフィルターは、外側に配置される複数の外部電極を含む本体と、上記本体の内側に配置され、複数のコイル電極層を含む第１フィルター部と、上記本体の内側に配置され、複数のコイル電極層を含む第２フィルター部と、を含み、
上記第１フィルター部の上記コイル電極層の面積は、前記第１フィルター部の共振周波数に応じた面積であり、上記第２フィルター部の上記コイル電極層の面積は、前記第１フィルター部の共振周波数から周波数オフセットされた前記第２フィルター部の共振周波数に応じた面積である。
【００１１】
本発明の他の実施形態によるコモンモードフィルターは、外側に配置される複数の外部電極を含む本体と、上記本体の内側に配置され、複数のコイル電極層を含む第１フィルター部と、上記本体の内側に配置され、複数のコイル電極層を含む第２フィルター部と、を含み、
フィルター周波数特性において、上記第１フィルター部の共振周波数と、上記第２フィルター部の共振周波数とは互いに周波数オフセットされている。
【００１２】
本発明のさらに他の実施形態によるコモンモードフィルターは、本体部と、上記本体部の内側に配置され、複数の第１コイル電極層を含む第１フィルター部と、上記本体の内側に配置され、上記複数の第１コイル電極層のうち少なくともいずれか一つと異なる面積を占める複数の第２コイル電極層を含む第２フィルター部と、上記複数の第１コイル電極層のうち少なくとも一部の間、又は上記複数の第２コイル電極層のうち少なくとも一部の間に配置されるシャント電極層によって形成されるシャントキャパシターと、を含む。
【発明の効果】
【００１３】
本発明の一実施形態によるコモンモードフィルターは、コイルフィルター層の面積が互いに異なる第１及び第２フィルター部を含む。そのため、本発明の一実施形態に係るコモンモードフィルターでは、フィルター周波数特性において複数の共振周波数を互いに周波数オフセットさせて配置可能となるので、従来よりも広い周波数帯域をカバーする超広帯域の減衰特性を有することができる。
【００１４】
また、本発明の一実施形態によるコモンモードフィルターは、超広帯域にわたる減衰特性を有し、且つ低周波数領域における減衰特性に優れる。
【図面の簡単な説明】
【００１５】
【図１】本発明の第１実施形態によるコモンモードフィルターの透明斜視図を概略的に示すものである。
【図２】図１におけるＩ−Ｉ'による断面図を概略的に示すものである。
【図３ａ】本発明の第１実施形態によるコモンモードフィルター内のコイル電極層の平面図を概略的に示すものである。
【図３ｂ】本発明の第１実施形態によるコモンモードフィルター内のコイル電極層の平面図を概略的に示すものである。
【図３ｃ】本発明の第１実施形態によるコモンモードフィルター内のコイル電極層の平面図を概略的に示すものである。
【図３ｄ】本発明の第１実施形態によるコモンモードフィルター内のコイル電極層の平面図を概略的に示すものである。
【図４】本発明の第１実施形態によるコモンモードフィルターの等価回路図を概略的に示すものである。
【図５】本発明の第２実施形態によるコモンモードフィルターの断面図を概略的に示すものである。
【図６】本発明の第２実施形態によるコモンモードフィルター内のシャント電極層の平面図を概略的に示すものである。
【図７】本発明の第２実施形態によるコモンモードフィルターの等価回路図を概略的に示すものである。
【図８】シャント電極層がない場合（点線）と、第２フィルター部の第６及び第７コイル電極層の間にシャント電極層が存在する場合（実線）の伝送特性及び減衰特性を示すグラフである。
【図９】本発明の第３実施形態によるコモンモードフィルターの断面図を概略的に示すものである。
【図１０】本発明の第３実施形態によるコモンモードフィルター内のシャント電極層の平面図を概略的に示すものである。
【図１１】本発明の第３実施形態によるコモンモードフィルターの等価回路図を概略的に示すものである。
【図１２】本発明の第４実施形態によるコモンモードフィルターの断面図を概略的に示すものである。
【図１３】本発明の第４実施形態によるコモンモードフィルター内のシャント電極層の平面図を概略的に示すものである。
【図１４】本発明の第４実施形態によるコモンモードフィルターの等価回路図を概略的に示すものである。
【発明を実施するための形態】
【００１６】
以下では、添付の図面を参照し、本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及びサイズ等はより明確な説明のために拡大縮小表示（又は強調表示や簡略化表示）がされることがある。
【００１７】
本明細書で用いられる用語は、実施形態を説明するためのもので、本発明を制限するものではない。本明細書において、単数形は文言で特に言及しない限り、複数形も含む。明細書で用いられる「含む（ｃｏｍｐｒｉｓｅ）」及び／又は「含んでいる（ｃｏｍｐｒｉｓｉｎｇ）」は、記載された構成要素、段階、動作、及び／又は素子は、一つ以上の他の構成要素、段階、動作、及び／又は素子の存在又は追加を排除しない。
【００１８】
図１は本発明の第１実施形態によるコモンモードフィルター１００の透明斜視図を概略的に示すものであり、図２は図１におけるＩ−Ｉ'による断面図を概略的に示すものである。
【００１９】
図１及び図２を参照して、本発明の一実施形態によるコモンモードフィルター１００の構成について説明すると、コモンモードフィルター１００は、本体１０１と、本体１０１の内側に配置される第１及び第２フィルター部１４０、１５０と、本体１０１の外側に配置される外部電極１６１、１６２、１６３、１６４と、を含む。
【００２０】
また、本体１０１の外側に配置されるグランド電極１６５を含むことができる。
【００２１】
外部電極１６１、１６２、１６３、１６４は本体１０１の幅方向の側面に、グランド電極１６５は本体１０１の長さ方向の端面に配置されることができる。
【００２２】
本体１０１は、基板１１０と、フィルター層１２０と、カバー層１３０と、を含む。
【００２３】
基板１１０、フィルター部１２０及びカバー部１３０は、磁性セラミック材料で形成されることができる。
【００２４】
フィルター層１２０は、第１フィルター部１４０と、第２フィルター部１５０と、を含む。
【００２５】
フィルター層１２０は、信号ノイズを除去する役割を果たす。
【００２６】
第１フィルター部１４０は、複数のコイル電極層を含むことができる。説明の明確性のために、第１フィルター部１４０が、第１〜第４コイル電極層１４１、１４２、１４３、１４４を含む場合を例に挙げて説明する。
【００２７】
同様に、第２フィルター部１５０は、複数のコイル電極層を含むことができる。説明の明確性のために、第２フィルター部１５０が、第５〜第８コイル電極層１５１、１５２、１５３、１５４を含む場合を例に挙げて説明する。
【００２８】
第１〜第８コイル電極層１４１〜１４４、１５１〜１５４は、絶縁層に導電性材料からなる導電線を少なくとも１回以上巻回して螺旋状に形成するか、導電性ペースト、フォトレジスト工法などを用いて形成することができる。
【００２９】
第１フィルター部１４０の複数のコイル電極層１４１〜１４４と、第２フィルター部１５０の複数のコイル電極層１５１〜１５４は、第１フィルター部１４０と第２フィルター部１５０の磁束を分離（Ｄｅｃｏｕｐｌｉｎｇ）するために、コイルから発生する磁束の方向が逆になるようにコイルの巻回方向を同一方向にすることができる。
【００３０】
第１フィルター部１４０に配置される複数のコイル電極層１４１〜１４４の面積と、第２フィルター部１５０の複数のコイル電極層１５１〜１５４とは互いに異なり得る。
【００３１】
例えば、第１フィルター部１４０のコイル電極層１４１〜１４４の面積は、第２フィルター部１５０のコイル電極層１５１〜１５４の面積より大きくてもよい。
【００３２】
コイル電極層の面積とは、コイル電極層の最外側に位置する導線の内側の面積を意味する。
【００３３】
本発明の一実施形態によるコモンモードフィルター１００は、第１フィルター部１４０の各コイル電極層１４１〜１４４のインダクタンスと寄生キャパシタンスを、第２フィルター部１５０の各コイル電極層１５１〜１５４のインダクタンスと寄生キャパシタンスと異ならせることで、第１及び第２フィルター部１４０、１５０の共振周波数を互いに異ならせることができる。その結果、コモンモードフィルター１００では、フィルター周波数特性において第１及び第２フィルター部１４０、１５０のそれぞれの共振周波数を互いに周波数オフセットさせて配置可能となる。
【００３４】
第１及び第２フィルター部１４０、１５０の共振周波数は、第１及び第２フィルター部１４０、１５０によって生じるインダクタンスと寄生キャパシタンスの関数として、下記式によって定義することができる。
【数１】
0006451018.tif 000002
（ここで、ｆｒｅｓとはコモンモードフィルターの共振周波数を意味し、Ｌとは二つのコイルがカップリングされたインダクタンスを意味し、Ｃとはコモンモードフィルターのコイルが有する寄生キャパシタンスを意味する。）
【００３５】
以下、第１フィルター部１４０のコイル電極層１４１〜１４４の面積が、第２フィルター部１５０のコイル電極層１５１〜１５４の面積より大きい場合、又は第１フィルター部１４０の共振周波数より第２フィルター部１５０の共振周波数が高い場合を基準として本発明の効果について説明する。
【００３６】
後述する図８を参照して、本発明の第１実施形態によるコモンモードフィルター１００においてシャント電極層が形成されていない場合（点線）の周波数帯域について説明すると、第１フィルター部１４０は、１ＧＨｚでノッチポール（Ｎｏｔｃｈ  Ｐｏｌｅ）が形成され、−２５ｄＢの減衰量を基準として０．７〜１．５ＧＨｚの減衰特性を有する。また、第２フィルター部１５０は、２ＧＨｚでノッチポールが形成され、−２５ｄＢの減衰量を基準として１．５〜２．５ＧＨｚの減衰特性を有することが分かる。第１フィルター部１４０は、第２フィルター部１５０よりインダクタンスが高く、減衰量がより大きい。
【００３７】
図３ａ〜図３ｄは本発明の第１実施形態によるコモンモードフィルター１００内のコイル電極層の平面図を概略的に示すものである。また、図４は、本発明の第１実施形態によるコモンモードフィルター１００の等価回路図を概略的に示すものである。以下、図１及び図３ａ〜図３ｄを参照して、第１〜第８コイル電極層１４１〜１４４、１５１〜１５４が互いに接続される構造について説明する。
【００３８】
第１接続電極１７１は、コイル電極層の中心部において上下層に位置するコイル電極層を、絶縁体１０２を貫通する導電性ビアを介して接続させ、第２接続電極１７２は、第１フィルター部１４０と第２フィルター部１５０に位置するコイル電極層のうち互いに上下層に位置するコイル電極層を、絶縁体１０２を貫通する導電性ビアを介して接続させる。
【００３９】
例えば、第１コイル電極層１４１と第３コイル電極層１４３が、第１接続電極１７１を介して接続されて第１コイルを形成し、第２コイル電極層１４２と第４コイル電極層１４４が、第１接続電極１７１を介して接続されて第２コイルを形成する。
【００４０】
また、第５コイル電極層１５１と第７コイル電極層１５３が、第１接続電極１７１を介して接続されて第３コイルを形成し、第６コイル電極層１５２と第８コイル電極層１５４が、第１接続電極１７１を介して接続されて第４コイルを形成する。
【００４１】
例えば、第１コイル電極層１４１は、第１外部電極１６１と接続され、第１接続電極１７１を介して第３コイル電極層１４３と接続される。第１フィルター部１４０に位置する第３コイル電極層１４３は、第２接続電極１７２を介して第２フィルター部１５０に位置する第８コイル電極層１５４と接続され、第８コイル電極層１５４は、第６コイル電極層１５２と接続される。第６コイル電極層１５２は、第２外部電極１６２と接続される。
【００４２】
また、第２コイル電極層１４２は、第３外部電極１６３と接続され、第１接続電極１７１を介して第４コイル電極層１４４と接続される。第１フィルター部１４０に位置する第４コイル電極層１４４は、第２接続電極１７２を介して第２フィルター部１５０に位置する第７コイル電極層１５３と接続され、第７コイル電極層１５３は、第５コイル電極層１５１と接続される。第５コイル電極層１５１は、第４外部電極１６４と接続される。
【００４３】
すなわち、第１コイル及び第４コイルが導電性ビアを介して互いに接続され、第２コイル及び第３コイルが導電性ビアを介して互いに接続されることができる。
【００４４】
第１コイル及び第４コイルを接続する導電性ビアを第１導電性ビアと、第２コイル及び第３コイルを接続する導電性ビアを第２導電性ビアと定義することができる。
【００４５】
第１フィルター部１４０と第２フィルター部１５０は、互いに直列に接続されることができる。
【００４６】
第１フィルター部１４０と第２フィルター部１５０が互いに直列に接続されるとは、第１、第３、第８及び第６コイル電極層１４１、１４３、１５４、１５２が順に直列に接続され、第２、第４、第７及び第５コイル電極層１４２、１４４、１５３、１５１が順に直列に接続されることを意味する。
【００４７】
図５は本発明の第２実施形態によるコモンモードフィルター２００の断面図を概略的に示すものであり、図６は本発明の第２実施形態によるコモンモードフィルター２００内のシャント電極層２６０の平面図を概略的に示すものであり、図７は本発明の第２実施形態によるコモンモードフィルター２００の等価回路図を概略的に示すものである。
【００４８】
図５及び図６を参照して、本発明の第２実施形態によるコモンモードフィルター２００の構造について説明する。ただし、第１実施形態によるコモンモードフィルター１００と同一の構成要素（例えば、図５に示す絶縁体２０２、基板２１０、フィルター層２２０、カバー層２３０など）についての説明は省略する。
【００４９】
以下、第１フィルター部２４０のコイル電極層２４１〜２４４の面積が、第２フィルター部２５０のコイル電極層２５１〜２５４の面積より大きい場合、又は第１フィルター部２４０の共振周波数より第２フィルター部２５０の共振周波数が高い場合を基準として本発明の構造及び効果について説明する。
【００５０】
第２フィルター部２５０の複数のコイル電極層２５１、２５２、２５３、２５４のうち少なくとも一部の間には、シャント電極層２６０が配置されることができる。
【００５１】
図５に示されているように、シャント電極層２６０は、第２フィルター部２５０の複数のコイル電極層２５１、２５２、２５３、２５４の中心部である第６及び第７コイル電極層２５２、２５３の間に位置してもよい。
【００５２】
また、シャント電極層２６０は、第５及び第６コイル電極層２５１、２５２の間、又は第７及び第８コイル電極層２５３、２５４の間に配置されてもよい。
【００５３】
図６を参照すると、シャント電極層２６０は、シャント部２６０ａと、引き出し部２６０ｂと、を有する。引き出し部２６０ｂは、本体２０１の外側に配置されるグランド電極２６５と接続されて、シャント電極層２６０を接地させる。
【００５４】
本発明の第２実施形態によるコモンモードフィルター２００は、シャント電極層２６０を少なくとも二つ以上含むことができる。
【００５５】
シャント電極層２６０が少なくとも二つ以上含まれる場合、一つのシャント電極層２６０が一つのグランド電極２６５と接続されることができる。
【００５６】
すなわち、シャント電極層２６０が少なくとも二つ以上含まれる場合、グランド電極２６５もシャント電極層２６０と同一の数で含まれることができる。
【００５７】
これとは異なり、複数のシャント電極層２６０が一つのグランド電極２６５と接続されることも可能である。
【００５８】
シャント電極層２６０が二つである場合、第５及び第６コイル電極層２５１、２５２の間と、第７及び第８コイル電極層２５３、２５４の間に配置されることができる。若しくは、第５及び第６コイル電極層２５１、２５２の間と、第６及び第７コイル電極層２４２、２４３の間に配置されるか、第６及び第７コイル電極層２５２、２５３の間と、第７及び第８コイル電極層２５３、２５４の間に配置されることもできる。
【００５９】
シャント電極層２６０が三つである場合には、第５〜第８コイル電極層２５１〜２５４のそれぞれの間に配置されてもよい。
【００６０】
シャント電極層２６０は、隣接するコイルと対応する形状を有する平板形状であってもよい。
【００６１】
第１実施形態によるコモンモードフィルター１００とは異なり、第２実施形態によるコモンモードフィルター２００は、第２フィルター部２５０に含まれる複数のコイル電極層のうち少なくとも一部の間にシャント電極層２６０を含むことから、図７に示されているように、第２フィルター部２５０にキャパシターＣ５が存在することが分かる。かかるキャパシターＣ５をシャントキャップ（Ｓｈｕｎｔ  Ｃａｐ）とすることができる。
【００６２】
以下、図８を参照して、第２実施形態によるコモンモードフィルター２００において、第２フィルター部２５０に含まれる複数のコイル電極層のうち少なくとも一部の間にシャント電極層２６０を含むことによる効果について説明する。
【００６３】
図８はシャント電極層がない場合（点線）と、第２フィルター部の第６及び第７コイル電極層の間にシャント電極層が存在する場合（実線）の伝送特性及び減衰特性を示すグラフである。
【００６４】
本発明の第１実施形態によるコモンモードフィルター１００のように、シャント電極層が形成されていない場合（点線）の周波数帯域について説明すると、第１フィルター部１４０は、１ＧＨｚでノッチポール（Ｎｏｔｃｈ  Ｐｏｌｅ）が形成され、−２５ｄＢの減衰量を基準として０．７〜１．５ＧＨｚの減衰特性を有する。また、第２フィルター部１５０は、２ＧＨｚでノッチポールが形成され、−２５ｄＢの減衰量を基準として１．５〜２．５ＧＨｚの減衰特性を有することが分かる。
【００６５】
しかし、第１実施形態によるコモンモードフィルター１００とは異なり、第２実施形態によるコモンモードフィルター２００は、第２フィルター部２５０に含まれる複数のコイル電極層のうち少なくとも一部の間にシャント電極層２６０を含むことから、減衰特性を測定すると、グラフに一つのポール（Ｐｏｌｅ）が加えられて計二つのポールが示されるようになり、より広い周波数領域での減衰特性を向上させることができる。
【００６６】
具体的に、第２実施形態によるコモンモードフィルター２００のように、シャント電極層が形成されていない場合（実線）の周波数帯域について説明すると、第１フィルター部２４０は、第１実施形態によるコモンモードフィルター１００と同様、１ＧＨｚでノッチポール（Ｎｏｔｃｈ  Ｐｏｌｅ）が形成され、−２５ｄＢの減衰量を基準として０．７〜１．５ＧＨｚの減衰特性を有する。これに対し、第２フィルター部２５０は、３．８ＧＨｚでノッチポールが形成され、−２５ｄＢの減衰量を基準として１．５から７．０ＧＨｚまで減衰特性を満たすことが分かる。
【００６７】
特に、シャント電極層が存在しない場合（点線）とは異なり、第２フィルター部２５０の減衰量が大幅に増加することが分かる。
【００６８】
すなわち、本発明の第２実施形態によるコモンモードフィルター２００は、今後求められる超広帯域の通信周波数帯域（０．７〜７．０ＧＨｚ）において減衰特性を十分に満たすことが分かる。
【００６９】
図９は本発明の第３実施形態によるコモンモードフィルター３００の断面図を概略的に示すものであり、図１０は本発明の第３実施形態によるコモンモードフィルター３００内のシャント電極層３６０の平面図を概略的に示すものであり、図１１は本発明の第３実施形態によるコモンモードフィルター３００の等価回路図を概略的に示すものである。
【００７０】
図９及び図１０を参照して、本発明の第３実施形態によるコモンモードフィルター３００の構造について説明する。ただし、第１及び第２実施形態によるコモンモードフィルター１００、２００と同一の構成要素（例えば、図９に示す絶縁体３０２、基板３１０、フィルター層３２０、カバー層３３０など）についての説明は省略する。
【００７１】
以下、第１フィルター部３４０のコイル電極層３４１〜３４４の面積が、第２フィルター部３５０のコイル電極層３５１〜３５４の面積より大きい場合、又は第１フィルター部３４０の共振周波数より第２フィルター部３５０の共振周波数が高い場合を基準として本発明の構造及び効果について説明する。
【００７２】
本発明の第３実施形態によるコモンモードフィルター３００は、第２実施形態によるコモンモードフィルター２００とは異なり、シャント電極層３６０がコイル状を有する。
【００７３】
シャント電極層３６０は、垂直投影の際に、隣接するコイル電極層３５２、３５３と互いに対応する面積を有することができる。ここで、第６及び第７コイル電極層３５２、３５３の間にシャント電極層３６０が配置される場合を例に挙げているが、第５及び第６コイル電極層３５１、３５２の間、又は第７及び第８コイル電極層３５３、３５４の間にシャント電極層３６０が配置される場合にも、シャント電極層３６０は、垂直投影の際に、隣接するコイル電極層と互いに対応する面積を有することができる。
【００７４】
図１０を参照すると、シャント電極層３６０は、シャント部３６０ａと、引き出し部３６０ｂと、を有する。引き出し部３６０ｂは、本体３０１の外側に配置されるグランド電極３６５と接続されて、シャント電極層３６０を接地させる。図１０に示されているように、シャント部３６０ａは、コイル状を有する。
【００７５】
図１１の等価回路図においてグラウンドに接地する部分を見ると、シャント電極層３６０によって発生するキャパシターＣ５の他にインダクタンスＬ５が発生することが分かる。
【００７６】
すなわち、本発明の第３実施形態によるコモンモードフィルター３００は、シャント電極層３６０がコイル状を有することから、第２フィルター部３５０のインダクタンスを調節して、減衰特性を有する周波数帯域を調節することができる。
【００７７】
図１２は本発明の第４実施形態によるコモンモードフィルター４００の断面図を概略的に示すものであり、図１３は本発明の第４実施形態によるコモンモードフィルター４００内のシャント電極層４６０、４６０'の平面図を概略的に示すものであり、図１４は本発明の第４実施形態によるコモンモードフィルター４００の等価回路図を概略的に示すものである。
【００７８】
図１２及び図１３を参照して、本発明の第４実施形態によるコモンモードフィルター４００の構造について説明する。ただし、第１〜第３実施形態によるコモンモードフィルター１００、２００、３００と同一の構成要素（例えば、図１２に示す絶縁体４０２、基板４１０、フィルター層４２０、カバー層４３０など）についての説明は省略する。
【００７９】
以下、第１フィルター部４４０のコイル電極層４４１〜４４４の面積が、第２フィルター部４５０のコイル電極層４５１〜４５４の面積より大きい場合、又は第１フィルター部４４０の共振周波数より第２フィルター部４５０の共振周波数が高い場合を基準として本発明の構造及び効果について説明する。
【００８０】
第１フィルター部４４０の複数のコイル電極層４４１、４４２、４４３、４４４のうち少なくとも一部の間にはシャント電極層４６０が配置されることができ、第２フィルター部４５０の複数のコイル電極層４５１、４５２、４５３、４５４のうち少なくとも一部の間にもシャント電極層４６０'が配置されることができる。
【００８１】
第１フィルター部４４０のシャント電極層４６０は、第１フィルター部４４０の複数のコイル電極層４４１、４４２、４４３、４４４の中心部である第２及び第３コイル電極層４４２、４４３の間に位置することができる。また、第１フィルター部４４０のシャント電極層４６０は、第１及び第２コイル電極層４４１、４４２の間、又は第３及び第４コイル電極層４４３、４４４の間に配置されることができる。
【００８２】
第２フィルター部４５０のシャント電極層４６０'は、第２フィルター部４５０の複数のコイル電極層４５１、４５２、４５３、４５４の中心部である第６及び第７コイル電極層４５２、４５３の間に位置することができる。また、第２フィルター部４５０のシャント電極層４６０'は、第５及び第６コイル電極層４５１、４５２の間、又は第７及び第８コイル電極層４５３、４５４の間に配置されることができる。
【００８３】
図１３を参照すると、第１フィルター部４４０のシャント電極層４６０は、シャント部４６０ａと、引き出し部４６０ｂと、を有し、引き出し部４６０ｂは本体４０１の外側に配置されるグランド電極４６５と接続されて、シャント電極層４６０を接地させる。第２フィルター部４５０のシャント電極層４６０'は、シャント部４６０ａ'と、引き出し部４６０ｂ'と、を有し、引き出し部４６０ｂ'は、本体４０１の外側に配置されるグランド電極４６５と接続されて、シャント電極層４６０'を接地させる。
【００８４】
第４実施形態によるコモンモードフィルター４００は、第１及び第２フィルター部４４０、４５０にシャント電極層４６０、４６０'を含むことから、図１４に示されているように、第１及び第２フィルター部４４０、４５０にそれぞれキャパシターＣ５、Ｃ６が存在することが分かる。かかるキャパシターＣ５、Ｃ６をシャントキャップ（Ｓｈｕｎｔ  Ｃａｐ）とすることができる。
【００８５】
図１３のように、第１及び第２フィルター部４４０、４５０のシャント電極層４６０、４６０'は、隣接するコイルと対応する形状を有する平板形状であってもよい。
【００８６】
若しくは、第１又は第２フィルター部４４０、４５０のシャント電極層４６０、４６０'は、隣接するコイルと対応する形状を有するコイル状であってもよい。
【００８７】
以上、本発明の実施形態について詳細に説明したが、本発明の範囲はこれに限定されず、特許請求の範囲に記載された本発明の技術的思想から外れない範囲内で多様な修正及び変形が可能であるということは、当技術分野の通常の知識を有する者には明らかである。
【符号の説明】
【００８８】
１００、２００、３００、４００  コモンモードフィルター
１０１、２０１、３０１、４０１  本体
１０２、２０２、３０２、４０２  絶縁体
１１０、２１０、３１０、４１０  基板
１２０、２２０、３２０、４２０  フィルター層
１３０、２３０、３３０、４３０  カバー層
１４０、２４０、３４０、４４０  第１フィルター部
１５０、２５０、３５０、４５０  第２フィルター部
２６０、３６０、４６０  シャント電極層
１６１、１６２、１６３、１６４  外部電極
１６５、２６５、３６５、４６５  グランド電極
【図１】
0006451018.tif 000003
【図２】
0006451018.tif 000004
【図３ａ】
0006451018.tif 000005
【図３ｂ】
0006451018.tif 000006
【図３ｃ】
0006451018.tif 000007
【図３ｄ】
0006451018.tif 000008
【図４】
0006451018.tif 000009
【図５】
0006451018.tif 000010
【図６】
0006451018.tif 000011
【図７】
0006451018.tif 000012
【図８】
0006451018.tif 000013
【図９】
0006451018.tif 000014
【図１０】
0006451018.tif 000015
【図１１】
0006451018.tif 000016
【図１２】
0006451018.tif 000017
【図１３】
0006451018.tif 000018
【図１４】
0006451018.tif 000019